(57)【要約】【課題】音声によるコマンドを認識し電気器具を制御する音声認識式リモートコントロール装置を提供する。【解決手段】音声を受けてアナログ電気信号に転換する集音手段１１０と、集音手段から入力するアナログ信号をディジタル信号に転換する音声転換ユニット１２０と、予め設定されたコマンドストリング、対応する音声コマンドを保存するコマンドデータベース１３０と、音声転換ユニットの出力する音声信号の特徴をサンプリングしてディジタル音声信号の代表する音声コマンドを判断し、かつ該コマンドデータベースからコマンドストリングを読取る音声認識処理ユニット１４０と、該コマンドストリング赤外線信号に転換し受信端に信号を発射する赤外線発射ユニットとを含んでなり、かつ起動時触発機能を具え、該起動時触発機能が起動するとミュート機能が作用し、制御される電気器具設備が自動的にミュートの状態にすると共に、別途手動のミュートキーを具える。【選択図】  図１     
0003107142.tif 000002
【実用新案登録請求の範囲】
【請求項１】
使用者の発する自然な音声を受けて、アナログの電気信号に転換する集音手段と、
該集音手段にカップリングして、該集音手段から入力するアナログ信号をディジタル信号に転換する音声転換ユニットと、
予め設定されたリモートコントロールのためのコマンドストリング、及び対応する音声コマンドを保存するコマンドデータベースと、
音声転換ユニットの出力する音声信号の特徴をサンプリングして、ディジタル音声信号の代表する音声コマンドを判断し、かつ該コマンドデータベースから該判断した音声コマンドに対応するコマンドストリングを読み取る音声認識処理ユニットと、
該コマンドデータベースから読み取ったコマンドストリング赤外線信号に転換し、かつ該赤外線信号を広域方式で発射して、受信端の電気器具設備に対応する機能を実行させる赤外線発射ユニットとを含んでなり、
音声によるコマンドを認識して、一種類、もしくは複数種の電気器具設備に対してリモートコントロールで機能を操作する音声認識リモートコントロール装置であって、
起動時触発機能を具え、該起動時触発機能が起動するとミュート機能が作用し、制御される電気器具設備がリモートコントロールによって自動的にミュートの状態になるようにするとともに、別途ミュートキーを具え、手動の操作によってミュートの状態にできるように構成することを特徴とする音声認識式リモートコントロール装置。
【考案の詳細な説明】
【技術分野】
【０００１】
この考案はリモートコントロール装置に関し、特に音声で触発する音声認識式リモートコントロール装置に関する。
【背景技術】
【０００２】
一般の家庭において、例えばテレビジョン、音声画像を収録した光でディスク用画像再生装置、クーラー、ステレオなどの家庭電気器具は、ほとんど赤外線リモートコントロール装置を付してあり、使用者が離れた場所からこれら家電を起動し、制御するために必要とする機能を提供している。但し、従来の電気器具におけるリモートコントロール装置は、使用者が手動でパネル上の押しボタンを操作しなければならず、かつ多くの操作が、該於パネル上の押しボタンを反復して押し圧して、はじめて実行できる。この点において不便である。
【考案の開示】
【考案が解決しようとする課題】
【０００３】
この考案は、煩雑な押しボタンの操作を省き、音声によってコマンドを出して実行させることのできる音声認識式リモートコントロール装置リモートコントロールを提供することを課題とする。
【課題を解決するための手段】
【０００４】
そこで、本考案者は従来の技術に見られる欠点に鑑み鋭意研究を重ねた結果、例えばマイクロフォンである集音手段と、音声転換ユニットと、コマンドデータベースと、音声認識処理ユニットと、メイン制御ユニットと、例えば赤外線信号発射装置である無線信号送信ユニットとを含んでなり、音声によるコマンドを判断してリモートコントロールを行うように構成する音声認識式リモートコントロール装置の構造によって課題を解決できる点に着眼し、かかる知見に基づいて本発明を完成させた。
以下、この考案について具体的に説明する。
【０００５】
請求項１に記載する音声認識式リモートコントロール装置は、使用者の発する自然は音声を受けて、アナログの電気信号に転換する集音手段と、該集音手段にカップリングして、該集音手段から入力するアナログ信号をディジタル信号に転換する音声転換ユニットと、予め設定されたリモートコントロールのためのコマンドストリング、及び対応する音声コマンドを保存するコマンドデータベースと、音声転換ユニットの出力する音声信号の特徴をサンプリングして、ディジタル音声信号の代表する音声コマンドを判断し、かつ該コマンドデータベースから該判断した音声コマンドに対応するコマンドストリングを読み取る音声認識処理ユニットと、該コマンドデータベースから読み取ったコマンドストリング赤外線信号に転換し、かつ該赤外線信号を広域方式で発射して、受信端の電気器具設備に対応する機能を実行させる赤外線発射ユニットとを含んでなり、音声によるコマンドを認識して、一種類、もしくは複数種の電気器具設備に対してリモートコントロールで機能を操作する音声認識式リモートコントロール装置であって、起動時触発機能を具え、該起動時触発機能が起動するとミュート機能が作用し、制御される電気器具設備がリモートコントロールによって自動的にミュートの状態になるようにするとともに、別途ミュートキーを具え、手動の操作によってミュートの状態にできるように構成する。
【考案の効果】
【０００６】
本考案の、音声認識式リモートコントロール装置は、リモートコントロール装置に音声によるコマンドを与えることによって、該コマンドを判断して受信端である電気の制御する操作を行うことができ、煩雑な押しボタンを押し圧する操作を省くことができ、実用的であるという利点を有する。
【考案を実施するための最良の形態】
【０００７】
この考案は、音声で触発する音声認識式リモートコントロール装置を提供するものであって、マイクロフォンである集音手段と、音声転換ユニットと、コマンドデータベースと、音声認識処理ユニットと、メイン制御ユニットと、例えば赤外線信号発射装置である無線信号送信ユニットとを含んでなり、音声によるコマンドを判断してリモートコントロールを行うように構成する。
係る構成の音声認識式リモートコントロール装置について、その構造と特徴を詳述するために具体的な実施例を挙げ、以下に説明する。
【実施例】
【０００８】
図１にこの考案による音声認識式リモートコントロール装置を開示する。図面によれば、音声認識式リモートコントロール装置１０は、集音手段１１０と、音声転換ユニット１２０と、コマンドデータベース１３０と、音声認識処理ユニット１４０と、メイン制御ユニット１５０と、無線信号送信ユニット例えば赤外線発射ユニット１６０などとを含んでなる。
【０００９】
この考案における音声認識式リモートコントロール装置１０は、別途対話ユニット１７０と、スピーカー１８０と、赤外線受信ユニット１９０と、押しボタンセットを選択的に具える。該押しボタンセットは、トレーニング・キー１９１と、削除キー１９２と、ミュート・キー１９３とプレビュー・キー１９４を含む。
【００１０】
集音手段１１０は、いわゆるマイクロフォンであって、使用者の発する自然な音声を受けて、アナログの電気信号に転換する。
音声転換ユニット１２０は、周知のアナログ信号をディジタル信号に転換するコンバータであって、入力されたアナログ信号をディジタル信号に転換する。
コマンドデータベース１３０はデータの保存手段であって、例えば消去、書き込み可能な記憶媒体で、予め設定されたリモートコントロールのためのコマンドストリング、及び対応する音声コマンドを保存するものである。コマンドを予め設定する場合は、制御コードを入力する方法と、赤外線信号を複製する方法の二種類ある。
【００１１】
前者の方法は、コントロールする電気器具のリモートコントロール機能に係るすべての制御コードを集め、それら一つ一つの制御コードを独特のコード番号で標示する方法である。係るコード番号と音声コマンドとをリンクし、音声認識式リモートコントロール装置１０に入力することによって、コマンドデータベース１３０に保存することができる。後者の方法は、リモートコントロールする電気器具専用の赤外リモートコントロール３０から音声認識式リモートコントロール装置１０の赤外線受信ユニットに、それぞれの赤外線リモートコントロール信号を発信し、受信した信号と音声コマンドとをリンクしてコマンドデータベース１３０に保存する方法である。
【００１２】
音声認識処理ユニット１４０は、音声転換ユニット１２０の出力する音声信号の特徴をサンプリングして、ディジタル音声信号の代表する音声コマンドを判断する。
メイン制御ユニット１５０は、例えばマイクロプロセッサーか、もしくは特性のロジック回路であって、赤外線発射ユニット１６０音声認識処理ユニット１４０、押しボタンセットのトレーニング・キー１９１と、削除キー１９２と、ミュート・キー１９３とプレビュー・キー１９４に電気的に接続してこれらを制御し、操作する。
赤外線発射ユニット１６０は音声認識処置ユニット１４０がコマンドデータベース１３０から読み取ったリモートコントロールコマンドを赤外線信号に転換し、該赤外線信号を出力する。
【００１３】
なお、図中２１はテレビジョン、２２はＤＶＤプレーヤー、２３はステレオシステム、２４はエアコン等の電気器具を示す。
【００１４】
図２に赤外線発射ユニット１６０の好ましい実施例を開示する。赤外線信号の発射は、全ての方向と長距離の位置を含む。図面によれば、赤外線発射ユニット１６０は円形のパネル上に、単独の赤外線発射ダイオード１６２と、２つの赤外線ダイオード１６３ａ１６３ｂを１組にした第１赤外線ダイオードモジュールと、２つの赤外線ダイオード１６４ａ１６４ｂを１組にした第２赤外線ダイオードモジュールと、２つの赤外線ダイオード１６５ａ１６５ｂを１組にした第３赤外線ダイオードモジュールとを設ける。それぞれの赤外線ダイオードモジュールは１２０の間隔を以って設け、単独の赤外線ダイオード１６２は、２つの赤外線ダイオード１６３ａ１６３ｂによる第１赤外線ダイオードモジュールと、２つの赤外線ダイオード１６４ａ１６４ｂによる第２赤外線ダイオードモジュールとの間に６０°の間隔を置いて設ける。実際に応用する場合、好ましくは単独の赤外線モジュール１６２が、例えばテレビジョンなど常用する電気器具に向かうように設置し、該電気器具が確実に赤外線信号を受信できるようにし、該第１、第２、第３赤外線ダイオードモジュールの発射する赤外線信号をその他電気器具によって受信する。
【００１５】
対話ユニット１７０は、予め設定する音声提示を保存しておき、使用者にそれぞれの操作のステップに係る提示を音声で提供する。例えば、「入力したコマンドが違います。入力しなおしてください」「実行しました」などであって、スピーカー１８０に電気的に接続し、該スピーカー１８０を介して音声を再生する。
【００１６】
トレーニング・キー１９１は、使用者がこの考案による音声認識式リモートコントロール装置１０を使用するに当たり、予め操作を覚えるために供するものであって、ミュート・キー１９３は使用者が音声をミュートモードに設定するために供する。プレビューキー１９４は、使用者が音声認識式リモートコントロール装置１０に保存されたそれぞれの音声コマンドを見るために供する。
【００１７】
この考案による音声認識式リモートコントロール装置１０は、使用者が集音手段１１０に対して、予め設定した音声によるコマンドを発声することによって、該コマンドに対応するリモートコントロール信号を無線方式例えば赤外線方式で送信し、対応する電気器具設備に対してリモートコントロールで指定の操作を実行させることができる。また、音声認識式リモートコントロール装置１０は起動時触発機能を具え、該起動時触発機能が起動すると、次いでミュート機能が作用し、制御される電気器具設備はリモートコントロールによってミュートの状態になる。
【００１８】
集音手段１１０は、発声するアナログ音声信号を音声転換ユニット１２０に伝送し、該音声転換ユニット２０によってディジタル音声信号に転換する。音声転換Ｕニットは、ディジタル音声信号を音声認識よりユニット１４０に出力する。
【００１９】
音声認識処理ユニット１４０は、音声転換ユニット１２０の出力するディジタル音声信号の特徴を散サンプリングして、該ディジタル音声信号の代表する音声コマンドを認識する。認識に成功した場合、音声認識ユニット１４０は、認識された音声コマンドに基づいてコマンドデータベース１３０から対応するコマンドストリングCONMMAND  STRINGと表示するを読み取り、メイン制御ユニット１５０から赤外線発射ユニット１６０に伝送する。
【００２０】
リモートコントロールのコマンドストリングは、赤外線発射ユニット１６０によって、例えは赤外線信号などの無線信号に転換される。次いで、赤外線信号を広域方式で発射し、受信端のテレビジョン、光ディスク用映像再生装置、クーラー、もしくはステレオシステム、もしくはテレビジョンと光ディスク用映像再生装置のコンビネーションシステムに対して、該コマンドストリングの指定する操作を自動的に実行させる。
【００２１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２２】
【図１】この考案による音声認識式リモートコントロール装置の実施例を示すブロック図である。
【図２】この考案による音声認識式リモートコントロール装置の赤外線発射ユニットの好ましい実施例を示す説明図である。
【符号の説明】
【００２３】
１０    音声認識式リモートコントロール装置
３０    赤外リモートコントロール
１１０  集音手段
１２０  音声変換ユニット
１３０  コマンドデータベース
１４０  音声認識処理ユニット
１５０  メイン制御ユニット
１６０  無線信号送信ユニット
１７０  対話ユニット
１８０  スピーカー
１９０  赤外線受信ユニット
１９１  トレーニング・キー
１９２  削除キー
１９３  ミュート・キー
１９４  プレビュー・キー
【図１】
0003107142.tif 000003
【図２】
0003107142.tif 000004